【手続補正書】
【提出日】平成27年12月22日(2015.12.22)
【手続補正１】
【補正対象書類名】特許請求の範囲
【補正対象項目名】全文
【補正方法】変更
【補正の内容】
【特許請求の範囲】
【請求項１】
撮像画像と音情報を取得する取得手段と、
前記取得手段により取得された音情報に所定音が含まれることを検知する検知手段と、
前記検知手段による前記所定音の検知結果に応じて、前記撮像画像と前記音情報とメタデータのうち少なくとも１つの情報の記録を開始させる記録制御手段とを有し、
前記記録制御手段は、
前記少なくとも１つの情報の記録中に前記所定音の音量が所定の閾値以下になった場合、前記所定音の音量の減少率が所定の減少率以上であると、前記少なくとも１つの情報の記録を継続させ、前記所定音の音量の減少率が所定の減少率以上でないと、前記少なくとも１つの情報の記録を停止させることを特徴とする撮像装置。
【請求項２】
前記記録制御手段は、
前記少なくとも１つの情報の記録中に前記所定音の音量が所定の閾値以下になった場合、前記所定音の音量の減少率が所定の減少率以上でないと、前記記録を停止させ、記録された情報を削除させることを特徴とする請求項１に記載の撮像装置。
【請求項３】
撮像画像と音情報を取得する取得手段と、
前記取得手段により取得された音情報に所定音が含まれることを検知する検知手段と、
前記検知手段による前記所定音の検知結果に応じて、前記撮像画像の記録を開始させる記録制御手段とを有し、
前記記録制御手段は、
前記撮像画像の記録中に前記所定音の音量が所定の閾値以下になった場合、前記所定音の音量の減少率が所定の減少率以上であると、前記撮像画像の記録を継続させ、前記所定音の音量の減少率が所定の減少率以上でないと、前記撮像画像の記録を低品質録画に切り替えさせることを特徴とする撮像装置。
【請求項４】
前記記録制御手段は、
前記撮像画像の記録中に前記所定音の音量が所定の閾値以下になった場合、前記所定音の音量の減少率が所定の減少率以上でないと、前記撮像画像の圧縮方法、解像度、ビットレート、フレームレート、サンプリングレートのうち、少なくとも１つを含む記録方法を変更させることを特徴とする請求項３に記載の撮像装置。
【請求項５】
撮像画像と音情報を取得する取得手段と、
前記取得手段により取得された音情報に所定音が含まれることを検知する検知手段と、
前記所定音の音量が所定の減少率以上で所定の閾値以下になった場合、前記撮像画像と前記音情報とメタデータのうち少なくとも１つの情報の記録を開始させる記録制御手段とを有することを特徴とする撮像装置。
【請求項６】
撮像画像と音情報を取得手段により取得する取得手段と、
前記取得手段により取得された音情報に所定音が含まれることを検知する検知手段と、
前記検知手段による前記所定音の検知結果に応じて、前記撮像画像と前記音情報とメタデータのうち少なくとも１つの情報の記録を開始させる記録制御手段とを有し、
前記記録制御手段は、
前記少なくとも１つの情報の記録中に前記所定音の音量が所定の閾値以上になった場合、前記所定音の音量の増加率が所定の増加率以下であると、前記少なくとも１つの情報の記録を継続させ、前記所定音の音量の増加率が所定の増加率以下でないと、前記少なくとも１つの情報の記録を停止させることを特徴とする撮像装置。
【請求項７】
前記記録制御手段は、
前記少なくとも１つの情報の記録中に前記所定音の音量が所定の閾値以上になった場合、前記所定音の音量の増加率が所定の増加率以下でないと、前記少なくとも１つの情報の記録を停止させ、記録された情報を削除させることを特徴とする請求項６に記載の撮像装置。
【請求項８】
撮像画像と音情報を取得手段により取得する取得手段と、
前記取得手段により取得された音情報に所定音が含まれることを検知する検知手段と、
前記検知手段による前記所定音の検知結果に応じて、前記撮像画像の記録を開始させる記録制御手段とを有し、
前記記録制御手段は、
前記撮像画像の記録中に前記所定音の音量が所定の閾値以上になった場合、前記所定音の音量の増加率が所定の増加率以下であると、前記撮像画像の記録を継続させ、前記所定音の音量の増加率が所定の増加率以下でないと、前記撮像画像の記録を低品質録画に切り替えさせることを特徴とする撮像装置。
【請求項９】
前記記録制御手段は、
前記撮像画像の記録中に前記所定音の音量が所定の閾値以上になった場合、前記所定音の音量の増加率が所定の増加率以下であると、前記撮像画像の記録を継続させ、前記所定音の音量の増加率が所定の増加率以下でないと、前記撮像画像の圧縮方法、解像度、ビットレート、フレームレート、サンプリングレートのうち少なくとも１つを含む記録方法を変更させることを特徴とする請求項８に記載の撮像装置。
【請求項１０】
撮像画像と音情報を取得手段により取得する取得手段と、
前記取得手段により取得された音情報に所定音が含まれることを検知する検知手段と、
前記所定音の音量が所定の増加率以下で所定の閾値以上になった場合、前記撮像画像と前記音情報とメタデータのうち少なくとも１つの情報の記録を開始させる記録制御手段とを有することを特徴とする撮像装置。
【請求項１１】
撮像画像と音情報を取得手段により取得する取得工程と、
前記取得手段により取得された音情報に所定音が含まれることを検知する検知工程と、
前記検知工程による前記所定音の検知結果に応じて、前記撮像画像と前記音情報とメタデータのうち少なくとも１つの情報の記録を開始させる記録制御工程とを有し、
前記記録制御工程は、
前記少なくとも１つの情報の記録中に前記所定音の音量が所定の閾値以下になった場合、前記所定音の音量の減少率が所定の減少率以上であると、前記少なくとも１つの情報の記録を継続させ、前記所定音の音量の減少率が所定の減少率以上でないと、前記少なくとも１つの情報の記録を停止させることを特徴とする撮像装置の制御方法。
【請求項１２】
撮像画像と音情報を取得手段により取得する取得工程と、
前記取得手段により取得された音情報に所定音が含まれることを検知する検知工程と、
前記所定音の音量が所定の増加率以下で所定の閾値以上になった場合、前記撮像画像と前記音情報とメタデータのうち少なくとも１つの情報の記録を開始させる記録制御工程とを有することを特徴とする撮像装置の制御方法。
【請求項１３】
撮像画像と音情報を取得手段により取得する取得手順と、
前記取得手段により取得された音情報に所定音が含まれることを検知する検知手順と、
前記検知手順による前記所定音の検知結果に応じて、前記撮像画像と前記音情報とメタデータのうち少なくとも１つの情報の記録を開始させる記録制御手順とをコンピュータに実行させ、
前記記録制御手順は、
前記少なくとも１つの情報の記録中に前記所定音の音量が所定の閾値以下になった場合、前記所定音の音量の減少率が所定の減少率以上であると、前記少なくとも１つの情報の記録を継続させ、前記所定音の音量の減少率が所定の減少率以上でないと、前記少なくとも１つの情報の記録を停止させるよう前記コンピュータに実行させることを特徴とするプログラム。
【請求項１４】
撮像画像と音情報を取得手段により取得する取得手順と、
前記取得手段により取得された音情報に所定音が含まれることを検知する検知手順と、
前記所定音の音量が所定の増加率以下で所定の閾値以上になった場合、前記撮像画像と前記音情報とメタデータのうち少なくとも１つの情報の記録を開始させる記録制御手順とをコンピュータに実行させることを特徴とするプログラム。
【手続補正２】
【補正対象書類名】明細書
【補正対象項目名】０００６
【補正方法】変更
【補正の内容】
【０００６】
即ち、記録の必要性の低い場合でも記録が開始され、例えば撮像装置の記録容量を不必要に消費するという課題があった。
本発明は前述の問題点に鑑み、特定音声の検知結果に基づいて映像記録を開始する機能を備えた撮像装置において、より記録の必要性に則した記録が行えるようにすることを目的とする。
【手続補正３】
【補正対象書類名】明細書
【補正対象項目名】０００７
【補正方法】変更
【補正の内容】
【０００７】
本発明の撮像装置は、撮像画像と音情報を取得する取得手段と、前記取得手段により取得された音情報に所定音が含まれることを検知する検知手段と、前記検知手段による前記所定音の検知結果に応じて、前記撮像画像と前記音情報とメタデータのうち少なくとも１つの情報の記録を開始させる記録制御手段とを有し、前記記録制御手段は、前記少なくとも１つの情報の記録中に前記所定音の音量が所定の閾値以下になった場合、前記所定音の音量の減少率が所定の減少率以上であると、前記少なくとも１つの情報の記録を継続させ、前記所定音の音量の減少率が所定の減少率以上でないと、前記少なくとも１つの情報の記録を停止させることを特徴とする。
【手続補正４】
【補正対象書類名】明細書
【補正対象項目名】０００８
【補正方法】変更
【補正の内容】
【０００８】
本発明によれば、より記録の必要性の高い場合のみ記録を行うことが可能となり、記録容量を不必要に消費されるのを防止することができる。
【手続補正５】
【補正対象書類名】明細書
【補正対象項目名】００４５
【補正方法】変更
【補正の内容】
【００４５】
前述のようにすることで、特定パターン音声の検知音量が、第１の閾値以上になってから、所定の減少率以下で、第１の閾値より小さい第２の閾値未満になった場合、或いは、特定パターン音声の検知音量が第１の閾値以上になってから、所定の減少率以上で、第２の閾値未満になった場合とで、記録の期間が異なるように制御することができる。
【手続補正６】
【補正対象書類名】明細書
【補正対象項目名】００５５
【補正方法】変更
【補正の内容】
【００５５】
以上の処理により、例えば緊急自動車が特定パターンの音声の音源であった場合、緊急自動車が監視カメラ１００の周辺に停止し事件の発生確率が高いと思われる場合、或いは、近辺を通過した場合とで、録画時間を異なるよう制御することができ、より必要性の高い録画を行うことができる。これによって、例えば監視カメラ１００の記録容量を不必要に消費するという課題を解決することができる。
【手続補正７】
【補正対象書類名】明細書
【補正対象項目名】００６３
【補正方法】変更
【補正の内容】
【００６３】
前述のようにすることで、所定のパターンの条件の音（所定音）の音量が、第１の閾値より小さい第２の閾値以上になってから、所定の増加率以上で、第１及び第２の閾値以上になった場合、或いは、所定のパターンの条件の音の音量が、第２の閾値以上になってから、所定の増加率以下で、第１及び第２の閾値以上になった場合とで、記録の期間が異なるように制御することができる。